(57)【要約】【課題】ショートムービーの作成に用いる素材としての画像データと、テンプレートとの組合せを適切に効率よく選択することのできる情報処理装置、情報処理方法、およびプログラムを提供する。【解決手段】情報処理装置１００は、画像データから抽出される画像情報に基づいて、上記画像データを複数含む画像データ群毎のテーマ性を解析する解析部１１０と、上記テーマ性と関連付けて記憶された所定の処理と、上記画像データ群との組合せを、上記テーマ性に基づいて選択する選択部１２０とを有する。【選択図】図１
2011170690.tif 000002
【特許請求の範囲】
【請求項１】
画像データから抽出される画像情報に基づいて、前記画像データを複数含む画像データ群毎にテーマ性を解析する解析部と、
前記テーマ性と関連付けて記憶された所定の処理と、前記画像データ群との組合せを、前記テーマ性に基づいて選択する選択部と、
を備える、情報処理装置。
【請求項２】
前記解析部は、画像データ群に含まれる画像データのうち、前記画像情報が所定の特徴を有する画像データの割合に基づいて前記特徴量を算出する、請求項１に記載の情報処理装置。
【請求項３】
前記テーマ性は、所定の評価基準を示す複数の特徴軸に基づいた特徴量空間上で示され、
前記選択部は、前記画像データ群の特徴点と前記所定の処理に関連付けられたテーマ性の特徴点との距離に基づいて前記組合せを選択する、
請求項２に記載の情報処理装置。
【請求項４】
複数の画像データ群から前記所定の処理を施す画像データ群を取得し、取得した前記画像データ群のテーマ性を解析するように前記解析部を制御する制御部、
をさらに備え、
前記選択部は、前記テーマ性と関連付けて記憶された所定の処理の中から、前記取得された画像データ群の前記テーマ性に基づいて前記所定の処理を選択する、
請求項１に記載の情報処理装置。
【請求項５】
前記所定の処理は、前記画像データ群からショートムービーを作成するための処理である、請求項１に記載の情報処理装置。
【請求項６】
前記所定の処理に対応づけられたテーマ性の特徴点と、前記画像データ群のテーマ性の特徴点との前記特徴量空間上の位置を示し、前記所定の処理を選択するための画面を表示させる制御部、
をさらに備える、請求項４に記載の情報処理装置。
【請求項７】
前記画像データ群は、所定の基準に基づいて予め一連のイベントとしてまとめられた複数の画像データである、請求項１に記載の情報処理装置。
【請求項８】
画像データから抽出される画像情報に基づいて、前記画像データを複数含む画像データ群毎にテーマ性を解析する解析部と、
選択された所定の処理のテーマ性に基づいて、前記画像データ群を選択する選択部と、
を備える、情報処理装置。
【請求項９】
情報処理装置の演算処理手段に所定の処理手段を実行させることにより実現される情報処理方法の、前記所定の処理が、
画像データから抽出される画像情報に基づいて、前記画像データを複数含む画像データ群毎にテーマ性を解析する解析ステップと、
前記テーマ性と関連付けて記憶された所定の処理と前記画像データ群との組合せを、前記テーマ性に基づいて選択する選択ステップと、
を含む、情報処理方法。
【請求項１０】
コンピュータを、
画像データから抽出される画像情報に基づいて、前記画像データを複数含む画像データ群毎にテーマ性を解析する解析部と、
前記テーマ性と関連付けて記憶された所定の処理と、前記画像データ群との組合せを、前記テーマ性に基づいて選択する選択部と、
して機能させるための、プログラム。
【発明の詳細な説明】
【技術分野】
【０００１】
本発明は、情報処理装置、情報処理方法、およびプログラムに関する。
【背景技術】
【０００２】
近年、画像データからショートムービーを作成する情報処理装置が提供されている。このような情報処理装置の中には、予めショートムービーにおける演出方法（例えば、画像データを切替えるタイミング、切替方法、視覚効果、ＢＧＭなど）が決められたテンプレートを複数保持しており、ユーザが選択したテンプレートを用いてショートムービーを作成する機能を有するものがある。
【０００３】
このテンプレートの選択方法については、ユーザが、テンプレートに付けられた名称（例えば、「旅行−リゾート」、「キッズ−誕生日」など）からそのイメージを想像して選択する、または、テンプレートのサンプルムービーを視聴して選択する、などの方法が一般的である。
【０００４】
また一方、ショートムービーの作成に用いるテンプレートを、装置が自動的に選択するための技術も提案されている。例えば、非特許文献１には、写真の撮影日時情報を用いてテンプレートを選択する方法が開示されている。かかる方法においては、例えば、その写真の撮影日時が４月であれば、桜のテンプレートが自動的に選択される。また、例えば、特許文献１には、画像の代表色を決定し、この代表色に基づいてテンプレートを選択する方法が開示されている。
【先行技術文献】
【特許文献】
【０００５】
【特許文献１】特開２００５−２５７１５号公報
【非特許文献】
【０００６】
【非特許文献１】［平成２２年２月３日検索］、インターネットhttp://www.sony.jp/taiken/xsb_online/details.html
【発明の概要】
【発明が解決しようとする課題】
【０００７】
ところが、ショートムービーの作成に用いる素材としての画像データと、テンプレートとの組合せを適切に効率よく選択することは困難であるという問題があった。
【０００８】
例えば、テンプレートに付けられた名称からテンプレートを選択する場合には、具体的な演出方法を見ないでテンプレートを選択するため、画像データの内容に適したテンプレートを選択することが困難である。もし、作成されたショートムービーを再生してその出来に違和感や不満がある場合には、ユーザは、再び別のテンプレートをその名称から選択してショートムービーを作成し、さらに再生してみる必要があり、時間と手間がかかるものであった。
【０００９】
一方、サンプルムービーを視聴する機能を利用することで、実際にショートムービーを作成することなく、具体的な演出方法を確認することができる。ところが、この場合にも、ショートムービーを作成する時間を省くことはできるが、サンプルムービーを視聴する時間と手間がかかる。特に、テンプレートが大量に用意されている場合には、その作業時間が増大してしまっていた。また、サンプルムービーは、所定のサンプルコンテンツで作成されており、自身のコンテンツに置き換えた場合の結果は想像するしかない。
【００１０】
さらに、上記の自動的にテンプレートを選択する装置においては、ユーザが所望するテンプレートが選択されない可能性があり、その場合には、結局ユーザが手動にてテンプレートを選択しなければならなかった。
【００１１】
そこで、本発明は、上記問題に鑑みてなされたものであり、本発明の目的とするところは、ショートムービーの作成に用いる素材としての画像データと、テンプレートとの組合せを適切に効率よく選択することが可能な、新規かつ改良された情報処理装置、情報処理方法、およびプログラムを提供することにある。
【課題を解決するための手段】
【００１２】
上記課題を解決するために、本発明のある観点によれば、画像データの画像情報を抽出し、抽出された上記画像情報に基づいて、複数の上記画像データを含む画像データ群毎のテーマ性を解析する解析部と、上記テーマ性と関連付けて記憶された所定の処理と、上記画像データ群との組合せを、上記テーマ性に基づいて選択する選択部とを有する情報処理装置が提供される。
【００１３】
ここでいうテーマ性とは、視聴したときに感じられる、対象物（ここでは画像データ群）の持つ雰囲気や印象を指す。上記の構成によれば、情報処理装置は、画像データ群と所定の処理とのテーマ性を同じ基準により把握することができる。このため、画像データ群と所定の処理（例えば、ショートムービーを作成するためのテンプレート）との組合せをテーマ性に基づいて選択することができるようになる。このため、画像データのあるまとまりとしての特徴をとらえることができるようになる。
【００１４】
また、上記解析部は、所定の評価基準に基づいて、上記画像情報の特徴を解析して複数の特徴量を算出し、該複数の特徴量に基づいて上記テーマ性を決定してもよい。
【００１５】
また、上記解析部は、画像データ群に含まれる画像データのうち、上記画像情報が所定の特徴を有する画像データの割合に基づいて上記特徴量を算出してもよい。
【００１６】
また、上記テーマ性は、上記評価基準を示す複数の特徴軸に基づいた特徴量空間上の特徴点で示され、上記選択部は、上記画像データ群の特徴点と上記所定の処理に関連付けられたテーマ性の特徴点との距離に基づいて上記組合せを選択してもよい。
【００１７】
また、複数の画像データ群から上記所定の処理を施す画像データ群を取得し、取得した上記画像データ群のテーマ性を解析するように上記解析部を制御する制御部をさらに有し、上記選択部は、上記テーマ性と関連付けて記憶された所定の処理の中から、上記取得された画像データ群の上記テーマ性に基づいて上記所定の処理を選択してもよい。
【００１８】
また、上記テーマ性と関連付けられて記憶された上記所定の処理から、実行させる所定の処理を取得し、取得した所定の処理に基づいて画像データ群を選択するように上記選択部を制御する制御部をさらに有し、上記選択部は、上記画像データ群の中から、上記取得された所定の処理のテーマ性に基づいて画像データ群を選択してもよい。
【００１９】
また、上記所定の処理は、上記画像データ群からショートムービーを作成するための処理であってもよい。
【００２０】
また、上記所定の処理に対応づけられたテーマ性の特徴点と、上記画像データ群のテーマ性の特徴点との上記特徴量空間上の位置を示し、上記所定の処理を選択するための画面を表示させる制御部をさらに有するものであってもよい。
【００２１】
また、上記画像データ群は、所定の基準に基づいて予め一連のイベントとしてまとめられた複数の画像データであってもよい。
【００２２】
また、上記課題を解決するために、本発明の別の観点によれば、情報処理装置の演算処理手段に所定の処理手段を実行させることにより実現される情報処理方法の、上記所定の処理が、画像データの画像情報を抽出するステップと、抽出された上記画像情報に基づいて、複数の上記画像データを含む画像データ群毎のテーマ性を解析する解析ステップと、上記テーマ性と関連付けて記憶された所定の処理と上記画像データ群との組合せを、上記テーマ性に基づいて選択する選択ステップとを含む、情報処理方法が提供される。
【００２３】
また、上記課題を解決するために、本発明の別の観点によれば、コンピュータを、画像データの画像情報を抽出し、抽出された上記画像情報に基づいて、複数の上記画像データを含む画像データ群毎のテーマ性を解析する解析部と、上記テーマ性と関連付けて記憶された所定の処理と、上記画像データ群との組合せを、上記テーマ性に基づいて選択する選択部として機能させるための、プログラムが提供される。
【発明の効果】
【００２４】
以上説明したように本発明によれば、ショートムービーの作成に用いる素材としての画像データと、テンプレートとの組合せを適切に効率よく選択することができる。
【図面の簡単な説明】
【００２５】
【図１】本発明の一実施形態に係る情報処理装置の構成を示すブロック図である。
【図２】被写体情報解析部の処理についての説明図である。
【図３】オブジェクト識別による物体認識の例を示す説明図である。
【図４】オブジェクト識別による人型認識の例を示す説明図である。
【図５】オブジェクト識別による姿勢認識の例を示す説明図である。
【図６】オブジェクト識別による顔認識の例を示す説明図である。
【図７】シーン識別の例を示す説明図である。
【図８】テーマ性解析の説明図である。
【図９】テーマ性の例を示す説明図である。
【図１０】画像情報とテーマ性との関係を示す表である。
【図１１】テンプレートのテーマ性の一例を示す表である。
【図１２】テーマ性によるテンプレート選択画面の表示例を示す図である。
【図１３】画像データ群選択からショートムービーの作成を開始する動作例を示すフローチャートである。
【図１４】テンプレートの選択からショートムービーの作成を開始する動作例を示すフローチャートである。
【図１５】音楽の選択からショートムービーの作成を開始する動作例を示すフローチャートである。
【図１６】作業の自動化の例を示すフローチャートである。
【図１７】作業の自動化の他の例を示すフローチャートである。
【発明を実施するための形態】
【００２６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２７】
なお、説明は以下の順序で行うものとする。
１．機能構成
２．動作例
２−１．画像データ群からテンプレートを自動選択する例
２−２．テンプレートから画像データ群を自動選択する例
２−３．音楽からテンプレートを自動選択する例
２−４．作業の自動化（画像データ群から選択される例）
２−５．作業の自動化２（テンプレートから選択される例）
３．効果の例
【００２８】
＜１．機能構成＞
まず、図１を参照して、本発明の一実施形態に係る情報処理装置の機能構成について説明する。図１は、本発明の一実施形態に係る情報処理装置の構成を示すブロック図である。
【００２９】
なお、以下の説明中において、素材とは写真、映像、音声、音楽などの各種メディアデータ全般を指し、これらに付加されたラベルなどのタグ情報も含む。写真は、単一の画像からなり、映像は時系列のつながりを持った複数の画像と音声からなる。このため、単に画像と述べた場合には写真と映像との両画像を指すものとする。また、音楽はＢＧＭとしてショートムービーの素材として用いられるものを対象とする。例えばリズムやメロディを持つものである。ただし、効果音なども音楽に含むものとする。これに対し、映像中で録音されたものは音声と表記することとする。
【００３０】
本発明の一実施形態に係る情報処理装置１００は、写真・映像素材記憶部１０２と、音楽素材記憶部１０４と、解析部１１０と、解析結果記憶部１０６と、テンプレート記憶部１０８と、選択部１２０と、テンプレート生成部１３２と、ショートムービー作成処理部１３４と、制御部１４０と、表示部１５０とを主に有する。
【００３１】
また、選択部１２０は、さらにテンプレート選択部１２２、画像選択部１２４、および音楽選択部１２６を有する。
【００３２】
写真・映像素材記憶部１０２、音楽素材記憶部１０４、解析結果記憶部１０６、およびテンプレート記憶部１０８は、データ格納用の装置であり、記憶媒体、記憶媒体にデータを記録する記録装置、記憶媒体からデータを読み出す読出し装置および記憶媒体に記録されたデータを削除する削除装置などを含むことができる。写真・映像素材記憶部１０２、音楽素材記憶部１０４、解析結果記憶部１０６、およびテンプレート記憶部１０８は、それぞれ個別の記憶媒体により実現されてもよいし、一の記憶媒体により実現されてもよい。記憶媒体としては、例えばＨＤＤ（Hard  Disk  Drive）などの磁気記録媒体や、ＥＥＰＲＯＭ（Electronically  Erasable  and  Programmable  Read  Only  Memory）、フラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）などの不揮発性メモリが挙げられるが、上記に限られない。
【００３３】
写真・映像素材記憶部１０２は、写真や映像などの画像および音声素材を記憶し、音楽素材記憶部１０４は、音楽素材を記憶し、解析結果記憶部１０６は、解析部１１０の各部における解析結果を記憶し、テンプレート記憶部１０８は、ショートムービー作成のためのテンプレートをテーマ性と関連付けて記憶する。
【００３４】
解析部１１０は、さらに被写体情報解析部１１２、音声情報解析部１１３、撮影情報解析部１１４、音楽解析部１１６、およびテーマ性解析部１１８を有する。被写体情報解析部１１２、音声情報解析部１１３、および撮影情報解析部１１４は、写真や映像などの画像および音声素材を解析して画像情報を抽出する解析部であり、音楽解析部１１６は、音楽素材を解析して音楽データ情報を抽出する解析部である。そして、テーマ性解析部１１８は、被写体情報解析部１１２、音声情報解析部１１３、撮影情報解析部１１４、および音楽解析部１１６における解析結果である画像情報および音楽データ情報から、画像データ群毎のテーマ性を解析する機能を有する。
【００３５】
被写体情報解析部１１２は、制御部１４０の制御に応じて入力された写真や映像の画像中に写った被写体の特徴を解析して画像情報を抽出する機能を有する。被写体情報解析部１１２は、例えば、画像解析・認識技術により被写体の特徴を解析してもよいし、画像に付加されたラベル（タグ）情報を用いて被写体の特徴を解析してもよい。或いは、映像の解析により被写体を追跡することで得られる動作、移動、変化に関する時系列情報なども抽出することができる。
【００３６】
以下に、図２〜図７を用いて、画像解析・認識技術により被写体の特徴を解析する場合の、被写体情報解析部１１２の機能について具体的に説明をする。図２は、被写体情報解析部１１２の処理について説明するための説明図である。図３は、オブジェクト識別による物体認識の例を示す説明図である。図４は、オブジェクト識別による人型認識の例を示す説明図である。図５は、オブジェクト識別による姿勢認識の例を示す説明図である。図６は、オブジェクト識別による顔認識の例を示す説明図である。図７は、シーン識別の例を示す説明図である。
【００３７】
図２に示したように、被写体情報解析部１１２は、入力された画像を人や物を中心とした画像と風景を中心とした画像に分ける。そして、被写体情報解析部１１２は、人や物を中心とした画像についてオブジェクト識別処理をし、風景を中心とした画像についてはシーン識別処理をする。さらに、人や物を中心とした画像について、オブジェクトを取り除いて残った背景部分の画像の面積が十分ある場合には、その背景部分に対してシーン識別処理を行ってもよい。
【００３８】
このオブジェクト識別処理は、例えば対象とする画像から特徴量を抽出し、機械学習により構築されたモデルを用いて、識別対象とするオブジェクトが含まれるか否かを識別する。例えば、このオブジェクト識別処理によって、図３に示す画像からは、ウエディングドレスおよびケーキが含まれることを識別することができる。
【００３９】
そして、対象とする画像に人が含まれる場合には、さらに画像解析することによって、人型認識、顔認識、姿勢認識を行ってもよい。例えば、図４に示す写真から人型を認識することによって、写っている人数やその構図を識別することができる。あるいは、図５に示す写真から、姿勢を認識することによって、人物のポーズを識別することができる。また、図６に示す写真から顔認識などの技術を用いることによって、人物の人数、表情、さらに個人の認識をすることもできる。
【００４０】
このように、被写体情報解析部１１２は、被写体が物である写真からは、例えばそのものが「看板、食べ物、植物、動物、乗り物、スポーツ用品、楽器」などのいずれかであることを識別し、画像情報として抽出することができる。あるいは、被写体情報解析部１１２は、被写体が人物である写真からは、例えば「個人識別、顔、人型、性別、年齢、表情、姿勢、服装、人数、整列」などに関する情報を、画像情報として抽出することができる。
【００４１】
一方、シーン識別処理は、予め学習用画像から機械学習したモデルに従って、画像から抽出した特徴量に基づいて入力画像のシーンを識別する。このとき、例えばＳＶＭ（Ｓｕｐｐｏｒｔ  Ｖｅｃｔｏｒ  Ｍａｃｈｉｎｅｓ）などの機械学習を用いることができる。このシーン識別処理によって、被写体情報解析部１１２は、入力された画像に写るシーンが、例えば「街、屋内、野外、海岸、水中、夜景、夕焼け、雪景色、混雑」のいずれであるかを識別することができる。例えば、図７の上図は野外シーンであり、中図は水中シーンであり、下図は夕焼けシーンであるという画像情報が抽出される。
【００４２】
被写体情報解析部１１２は、その他、画像解析によって「被写体の有無、構図、良し悪し、失敗（ピンボケ、ブレ）、印象、ユーザの個人嗜好」などの情報を画像情報として抽出することもできる。
【００４３】
次に、音声情報解析部１１３は、映像素材に含まれる音声データを解析して画像情報を抽出する機能を有する。ここで、音声を解析して得られた情報も、映像という画像に付随した情報であるため、画像情報とよぶことにする。音声情報解析部１１３は、例えば、音声解析技術、および認識技術によって、「話者、声の高低、話し声の内容、声色による感情、周囲の環境音、反響による空間の拡がり具合」の情報を抽出することができる。
【００４４】
撮影情報解析部１１４は、写真データおよび映像データの撮影情報を解析して画像情報を抽出する機能を有する。ここで撮影情報は、例えばデジタルスチルカメラで撮影された写真であれば、ＥＸＩＦ（ＥＸｃｈａｎｇｅａｂｌｅ  Ｉｍａｇｅ  Ｆｉｌｅ  Ｆｏｒｍａｔ）情報であり、ビデオカメラで撮影された映像であればメタデータおよびユーザプライベートデータとして保持された情報である。具体的には、例えば、撮影情報としては、「撮影日時、撮影機種、カメラ設定、縦撮り/横撮り、フラッシュ有無、ＧＰＳ（Ｇｌｏｂａｌ  Ｐｏｓｉｔｉｏｎｉｎｇ  Ｓｙｓｔｅｍ）情報」などが挙げられる。また、画像解析および認識技術により得られる被写体との距離、手ブレの状態、および撮影機器の動き情報なども撮影情報に含まれる。あるいは、ＧＰＳ情報に基づいて地図情報から得られる住所などの情報も撮影情報に含まれる。
【００４５】
例えば、撮影情報解析部１１４は、上記の撮影情報を解析することにより、その画像の撮影された時間帯を画像情報として抽出する。或いは、ＧＰＳ情報から得られる撮影位置情報に基づいて画像情報を抽出してもよい。
【００４６】
テーマ性解析部１１８は、上記の被写体情報解析部１１２、音声情報解析部１１３、および撮影情報解析部１１４における解析の結果、抽出された画像情報に基づいて、画像データ群毎のテーマ性を解析する。ここでいうテーマ性は、上述の通り、視聴したときに感じ取られる、対象物（ここでは画像データ群）の持つ雰囲気や印象のことを指す。本実施形態においては、テーマ性は、複数の特徴軸により定義される特徴量空間上の点で表現される。上述の通り、ショートムービー作成のためのテンプレートは、予めテーマ性と関連付けて記憶されている。そこで、テンプレートのテーマ性と画像データ群のテーマ性とが同じ特徴軸により定義される特徴量空間上の点で表現されることにより、テンプレートと画像データとを同じテーマ性という基準で比較することができるようになる。また、ここで特徴軸を例えば「可愛い−格好いい」といった形容詞で表すことにより、よりユーザにとって直感的に画像データ群やテンプレートの特徴を把握することができるようになる。
【００４７】
テーマ性解析部１１８は、解析対象である画像データ群に含まれる個々の画像から抽出された画像情報の分布を解析する。ここで画像情報の分布とは、例えば、画像情報に基づいて、画像データ群のうち、所定の特徴を有する画像の割合である。例えば、図８に示したように、テーマ性解析部１１８は、ある画像データ群の中で、「ヒト、モノ、シーン」の割合、さらに、ヒトの写った画像の中で、個人識別を行い、「息子、母親、父親、その他の人物」の割合、その人の姿勢それぞれの割合を解析する。または、シーンの画像の中で、シーン識別により「海岸、草原、街、混雑、水中、その他」それぞれの割合を解析する。或いは、テーマ性解析部１１８は、音声情報解析部１１３により抽出された画像情報に基づいて、笑い声の含まれる割合、ペットの鳴き声が含まれる割合、などを解析する。また、テーマ性解析部１１８は、撮影情報解析部１１４により抽出された画像情報に基づいて、ソフトフォーカスを狙った割合、カメラの設定をデフォルト設定から変化させて撮った割合などを解析する。
【００４８】
ここで、画像データ群は、何らかのルールに基づいて、一連のイベントとしてまとめられた写真・映像群のことをいう。例えば、ここで用いられるルールとしては、「撮影された日、週、月、年などに基づいたもの」、「ユーザ自身、またはアプリケーションによって分けられたフォルダ毎」、「ユーザ自身が同じイベントであると認識して、区別するために付与したタグに基づいたもの」、「撮影時間の粗密に基づいて、自動的にイベント認識されたもの」、などが挙げられる。
【００４９】
そして、テーマ性解析部１１８は、上記の画像情報の分布に応じて所定の特徴軸上の特徴値を算出する。ここで、所定の特徴軸は、例えば図９に示されるように複数の特徴軸であってもよい。図９の例においては、特徴軸は、「静的−動的」、「可愛い−格好いい」、「理性的−感情的」の３つの軸が挙げられている。これらの特徴軸は、相反する指標を持つことが好ましい。例えば、特徴軸の他の例としては、「洗練−粗野」、「派手−地味」、「古典−革新」、および「重厚−軽薄」などが挙げられる。特徴軸は、選択対象となるテンプレートの数および特徴に応じて、軸数を増減してもよいし、異なる軸が導入されてもよい。これら複数の特徴軸から構成される特徴量空間を以って、テーマ性は数値的に表現される。
【００５０】
画像情報から特徴量を算出する方法としては、例えば、図１０のように、画像情報がある特徴を有していた場合の、各特徴量の値の増減値を予め決めておき、この評価基準に基づいて特徴量を増減することによって算出する方法が挙げられる。図１０の評価基準に従うと、例えば、画像情報に基づいて、笑顔の人が写っている割合が５０％以上である場合には、感情的−理性的軸の特徴量を０．５増加させる。このとき、特徴量の初期値を０とし、感情的な特徴を有する場合にはプラスの値、理性的な特徴を有する場合にはマイナスの値となるように特徴量を調整する。同様に、画像中に写っている被写体の中で、ヒト・モノ・シーンのうちシーンを中心とする画像の割合が一番多い場合には、動的−静的軸の特徴量を０．２５減少させ、格好いい−可愛い軸の特徴量を０．２５増加させ、さらに感情的−理性的軸の値を０．５減少させる。
【００５１】
ここで、参考のために図１１に、テンプレートと対応づけて記憶されるテーマ性の具体例について示す。図１１は、テンプレートのテーマ性の一例を示す表である。ここで、テーマ性の各特徴量の値は、正規化により−１から＋１の間の値となっている。なお、ここで行われる正規化は、例えば各特徴量の絶対値の最大値が「１」又は「−１」となるよう、各特徴量の値を、特徴量の絶対値の最大値で除算されることにより行われてもよい。または、正規化は、単純に「＋１」以上の値は全て＋１、「−１」以下の値は全て−１とするクリッピング処理であってもよい。
【００５２】
例えば、図１１の例において「ウェディング」というジャンルのテンプレートは、いずれも「感情的」の値が高い。しかし、同じ「ウェディング」というジャンルのテンプレートの中でも、「モダン」及び「キュート」と名づけられたテンプレートは、「動的」の値が高いのに対し、「和風」と名づけられたテンプレートは、「静的」の値が高い。このように、テンプレートと画像データ群とを同じ基準の値で評価することにより、テンプレートと画像データ群とをテーマ性に基づいて比較し、自動的にテンプレートと画像データ群との組合せを選択することができるようになる。また、人手を介してテンプレート又は画像データ群を選択する場合にも、直感的な指標により比較することができるという効果がある。
【００５３】
また、テーマ性解析部１１８は、図示していないが、音声情報解析部１１３における解析の結果出力された画像情報をさらに用いて、所定の評価基準に従った特徴量を算出してもよい。例えば、音声の解析結果から「声援の割合が多ければ動的」、「ペットの鳴き声が多ければ可愛さ」、「笑い声が多ければ感情的」といった関係性が挙げられる。テーマ性解析部１１８は、上述した関係性を特徴量の数値に反映させる。
【００５４】
また、音楽解析部１１６は、制御部１４０からの指示に応じて、音楽素材記憶部１０４に記憶された音楽素材を解析する。ここで音楽の解析手法については、既存の手法を様々組み合わせて用いることができる。例えば、解析手法としては、曲調解析、歌詞解析などが挙げられる。
【００５５】
選択部１２０は、さらにテンプレート選択部１２２と画像選択部１２４と音楽選択部１２６とを有する。選択部１２０は、テンプレート選択部１２２と画像選択部１２４とにより、テンプレートと画像データとの組合せをテーマ性に基づいて選択する機能を有する。テンプレート選択部１２２は、ショートムービーの作成に用いるテンプレートを選択する。テンプレート選択部１２２は、制御部１４０からの指示に応じた方法でテンプレートを選択する。例えば、テンプレート選択部１２２は、ユーザが入力部（図示せず）を用いて入力した操作情報に基づいてテンプレートを選択する機能を有する。また、テンプレート選択部１２２は、画像選択部１２４により選択された画像データ群のテーマ性に基づいてテンプレートを選択する機能を有する。或いは、テンプレート選択部１２２は、音楽素材や、ショートムービー作成開始のトリガとなる何らかのイベントの検知情報に基づいてテンプレートを選択してもよい。テーマ性に基づいてテンプレートを選択する場合には、例えば、テーマ性（複数の特徴軸により定義される特徴量空間上の点）が最も近いものが選択されてもよいし、例えば、テーマ性がある所定の距離以内のものの中から、別の基準に従って選択されてもよい。
【００５６】
画像選択部１２４は、ショートムービーの作成に用いる画像データを選択する。画像選択部１２４は、制御部１４０からの指示に応じた方法で画像データを選択する。例えば、画像選択部１２４は、ユーザが入力部（図示せず）を用いて入力した操作情報に基づいて画像を選択する機能を有する。また、画像選択部１２４は、テンプレート選択部１２２により選択されたテンプレートのテーマ性に基づいて画像データを選択する機能を有する。画像選択部１２４は、画像データを個別に選択してもよいし、画像データ群として選択してもよい。
【００５７】
音楽選択部１２６は、ショートムービーの作成に用いる音楽を選択する。音楽選択部１２６は、制御部１４０からの指示に応じた方法で音楽を選択する。例えば、音楽選択部１２６は、ユーザが入力部（図示せず）を用いて入力した入力情報に基づいて音楽を選択する機能を有する。また、音楽選択部１２６は、画像データ群やテンプレートのテーマ性に基づいて音楽を選択する機能を有する。あるいは、テンプレートに予め用いる音楽が設定されている場合には、設定された音楽を選択してもよい。
【００５８】
テンプレート生成部１３２は、制御部１４０の制御に応じて、ショートムービーの作成のために用いるテンプレートを生成する機能を有する。例えば、テンプレート生成部１３２は、画像選択部１２４により選択された画像データ群のテーマ性に基づいて、テンプレートを生成する。例えば、選択された画像データ群のテーマ性から、動的の特徴量が高い場合には画面の切替を早く行ったり、可愛さの特徴量が高い場合には可愛らしいイラストを付加したり、理性的の特徴値が高い場合には淡々とリズム良く画面を切替えたりといった要素を含むテンプレートを生成する。
【００５９】
ショートムービー作成処理部１３４は、制御部１４０の制御に従い、テンプレート選択部１２２が選択したテンプレートと、画像選択部１２４が選択した画像データとを用いてショートムービーの作成処理を実行する。具体的には、ショートムービーの作成処理には、選択された素材群の中から、実際にショートムービーの作成に用いる素材の選択処理や、素材を用いる順番の決定処理などを含む。例えば、ショートムービー作成処理部１３４は、テンプレートの各特徴軸の特徴量に比例した割合に基づいて素材を選択してもよい。例えば、ショートムービー作成処理部１３４は、選択されたテンプレートが動的−静的軸における特徴量が＋０．５であった場合には、動的な素材が７５％、静的な素材が２５％含まれるように素材を選択する。或いは、ショートムービー作成処理部１３４は、テンプレートの各軸の方向性を強調するように、片方の指標に偏った素材のみを選択するようにしてもよい。例えば、動的−静的軸における特徴量がプラスの値であれば、動的な素材のみを選択するようにしてもよい。また、ショートムービー作成処理部１３４は、内容の似た類似写真を複数選択しないようにしてもよい。例えば、旅行先においては、同じ場所、同じ被写体の写真をカメラ設定や構図を少しだけ変化させて複数撮影する場合がある。ショートムービー中にこのような写真が複数続けて使用されると、単調で変化に乏しいショートムービーになってしまう場合がある。このため、類似する写真が複数存在する場合には、そのうち最も撮影状態のよいもの（ピントや構図など写真としての良し悪しにより判定）だけを選択してもよい。
【００６０】
また、ショートムービー作成処理部１３４は、選択された画像データ群の中から、素材を用いる順番を決定する。例えば、ショートムービーにおいて、最初と最後に用いられる画像が視聴者に与える印象は特に大きい。このため、最初と最後の画像は、画像データ群のうち代表となる画像が使用されることが好ましい。代表となる画像の選択方法としては、テンプレートのテーマ性に合った画像であるか否かによって判定する方法、被写体を個人認識してその登場頻度から主役となる被写体を特定し、主役がメインで写っている画像を選択する方法、または、ピントや構図など写真としての良し悪しから選択する方法、などが挙げられる。ただし、時間の流れを重視するテンプレートの場合には、画像の順序を入れ替えることが好ましくない場合もあるため留意が必要である。
【００６１】
なお、ショートムービー作成処理部１３４は、作成したショートムービーを記憶装置に記憶してもよいし、表示部１５０に表示させてもよい。
【００６２】
表示部１５０は、制御部１４０の制御に従ってユーザに画像を表示する表示装置である。例えば、表示部１５０は、図１２に示すようなテンプレート選択画面を表示させてもよい。図１２に示すテンプレート選択画面は、３つの特徴軸により形成される特徴空間上の位置を示したものである。ここでテンプレート選択画面は、３次元空間とするとユーザにとってその関係性がわかりにくいため、ここでは「動的−静的」、「格好いい−可愛い」の２つの軸により形成される二次元の平面上に、「感情的−理性的」の値がその点の模様の違いにより表される。例えば、画像データ群のテーマ性は星型の特徴点２０２によって表され、画像データ群のテーマ性に基づいてテンプレート選択部１２２により自動的に選択されたテンプレートが特徴点２０４により表される。ユーザは、このテンプレート選択画面を参照しながら他のテンプレートを選択してもよい。例えば、現在選択されている特徴点２０４により表されるテンプレートよりも動的で、可愛いイメージを求める場合には、特徴点２０６により示されるテンプレートを選択してもよい。
【００６３】
制御部１４０は、情報処理装置１００の全体の動作を制御する機能を有する。例えば制御部１４０は、解析部１１０に解析対象となる素材を指示することによって、画像、音声、撮影情報、および音楽を解析させる。また、制御部１４０は、選択部１２０に選択の基準を指示することによって、ショートムービーの作成に用いる画像またはテンプレートを選択させる。或いは、制御部１４０は、予め準備されたテンプレートがない場合や、ユーザが予め準備されたテンプレートを用いずに生成することを選択する入力を行った場合などには、テンプレート生成部にテンプレート生成のための条件を入力することによってテンプレートを生成させる。その他、制御部１４０は、各機能部を制御することによってショーとムービー作成にかかる様々な動作を制御する。制御部１４０による具体的な動作の例については、次の動作例において詳述される。
【００６４】
＜２．動作例＞
次に、本発明の一実施形態に係る情報処理装置１００のショートムービー作成処理について、図１３〜図１７の５つの例を用いて説明する。図１３〜図１７は、主にショートムービー作成の開始トリガとショートムービー作成に用いる素材とテンプレートとの選択方法が異なるものである。
〔２−１．画像データ群からテンプレートを自動選択する例（動作例１）〕
まず、図１３は、情報処理装置１００において、ユーザが画像データ群を選択入力した場合のショートムービー作成動作を示す説明図である。
【００６５】
まず、ユーザが、ショートムービーの作成に用いる写真や映像などの画像データ群を選択する操作を行うと、制御部１４０は、その操作情報を取得して画像選択部１２４に、操作情報により示される写真及び映像をショートムービーの作成に用いる画像データ群として選択させる（Ｓ１０２）。そして、制御部１４０は、解析部１１０に、画像選択部１２４が選択した画像データ群に含まれる画像データ及び音声を解析させる（Ｓ１０４）。そして、制御部１４０は、解析部１１０に、画像・音声解析の結果からテーマ性を解析させる（Ｓ１０５）。ここで、制御部１４０は、既存のテンプレートを使用するか否かを判断し（Ｓ１０６）、既存のテンプレートを使用しない場合には、テンプレート生成部１３２に、ステップＳ１０４における解析の結果である画像データ群のテーマ性に基づいてテンプレートを生成させる（Ｓ１０８）。ステップＳ１０６における判断は、例えば予め環境設定などにより設定された設定値を制御部１４０が確認することにより行われてもよいし、ユーザに対して表示部１５０を用いて既存のテンプレートを使用するか否かを選択させ、この選択操作による入力情報に基づいて判断されてもよい。
【００６６】
一方、ステップＳ１０６の判断において既存のテンプレートを使用する場合には、次にテンプレートを自動選択するか否かの判断がなされる（Ｓ１１０）。かかる判断もステップＳ１０６の場合と同様に、予め環境設定などにより設定された設定値を制御部１４０が確認することにより行われても良いし、ユーザに対して表示部１５０を用いてテンプレートを自動選択するか否かを選択させ、この選択操作による入力情報に基づいて判断されてもよい。
【００６７】
ここで、テンプレートを自動選択する場合には、制御部１４０はテンプレート選択部１２２に、ステップＳ１０４による解析結果である画像データ群のテーマ性を入力し、このテーマ性に基づいてテンプレートを選択させる。一方、テンプレートを自動選択しない場合には、制御部１４０は、テーマ性に基づいた選択画面を生成し、表示部１５０に表示させる（Ｓ１１４）。制御部１４０が生成する選択画面は、例えば図１２に示したような画面である。そして、制御部１４０は、テンプレート選択部１２２により選択画面に対するユーザの選択入力を受付け、この入力情報に基づいてテンプレートを選択させる。
【００６８】
以上のように、ショートムービーの作成に用いる画像データとテンプレートとが決定すると、次に、制御部１４０は、音楽選択部１２６によりショートムービーの作成に用いる音楽を選択させる（Ｓ１１６）。ここで、音楽選択部１２６は、ユーザの選択入力に基づいて音楽を選択してもよいし、例えば画像およびテンプレートのテーマ性に基づいて音楽を選択してもよい。
【００６９】
次に、制御部１４０は、ショートムービー作成処理部１３４に、ステップＳ１０２において選択された画像データ群の中から、実際にショートムービーの作成に用いる画像データを選択させ、その使用順序を決定させる（Ｓ１１８）。ステップＳ１０２において選択された画像データ群は、その全てをショートムービーの作成に用いられてもよいし、画像データ群の中からさらにショートムービーに採用する画像データが選択されてもよい。
【００７０】
そして次に、制御部１４０は、ショートムービー作成部１３４にショートムービーの作成処理を実行させる（Ｓ１２０）。そして、制御部１４０は、作成したショートムービーを再生させる。ユーザは、再生されたショートムービーを見て、所望の仕上がりとなっていれば処理を終了し、もしユーザが仕上がりに満足できなかった場合には、テンプレートの変更を選択することもできる（Ｓ１２２）。テンプレートの変更が選択された場合には、ステップＳ１０６に戻る。例えば、制御部１４０は、テンプレートの自動選択が実行された場合には、このテンプレートの変更が選択されると、ステップＳ１１０においては必ずステップＳ１１４に進むように制御してもよい。この場合、図１２に示す選択画面が表示される。
【００７１】
このように、情報処理装置１００によれば、ユーザが手動で選択した画像データ群を用いて、ショートムービーを作成することができる。このとき、テンプレートは自動的に選択されるように設定することができるため、最短で画像データ群を選択するという１ステップでショートムービーを作成することができる。ここで、自動的に選択されたテンプレートによるショートムービーの仕上がりに、ユーザが満足することができなかった場合であっても、情報処理装置１００は、例えば図１２に示されるような直感的な選択画面により、「もう少し動的なイメージに」や、「もう少し感情的に」といった感覚的なテンプレートの選択方法を提供することができる。
【００７２】
〔２−２．テンプレートから画像データ群を自動選択する例（動作例２）〕
次に、図１４は、情報処理装置１００において、ユーザがテンプレートを選択入力した場合のショートムービー作成動作を示す説明図である。
【００７３】
まず制御部１４０は、予めテンプレート記憶部１０８にテンプレートとともに記憶されたテーマ性を用いて選択画面を生成し、表示部１５０に表示させる。ユーザが選択画面を見てその特徴軸上の値を参照しながら選択した入力情報を取得すると、制御部１４０は、テンプレート選択部１２２により、入力情報が示すテンプレートを取得させる（Ｓ２０２）。そして、制御部１４０は、全ての画像データ群の画像および音声を解析部１１０により解析させると（Ｓ２０４）、この解析結果からさらにテーマ性を解析させる（Ｓ２０５）。そして制御部１４０は、ステップＳ２０２において取得されたテンプレートのテーマ性に基づいて、画像選択部１２４により画像データ群を自動的に選択させる（Ｓ２０６）。なお、画像データ群の解析は、予め実行されて解析結果記憶部１０６に記憶されている場合には、ここでは省略されてもよい。
【００７４】
そして、制御部１４０は、音楽選択部１２６によりショートムービーの作成に用いる音楽を選択させる（Ｓ２０８）。ここでは、選択されたテンプレートに予め設定されている音楽を選択させることとするが、必要に応じて候補となる音楽を解析し、テンプレートまたは画像データ群の解析結果と、音楽の解析結果とを用いて音楽を選択させてもよい。
【００７５】
そして、制御部１４０は、ショートムービー作成処理部１３４に、ステップＳ２０６において選択された画像データ群の中から、実際にショートムービーの作成に用いる画像データを選択させ、その使用順序を決定させる（Ｓ２１０）。ステップＳ２０６において選択された画像データ群は、その全てをショートムービーの作成に用いられてもよいし、画像データ群の中からさらにショートムービーに採用する画像データが選択されてもよい。さらに、制御部１４０は、ショートムービー作成部１３４にショートムービーの作成処理を実行させる（Ｓ２１２）。
【００７６】
〔２−３．音楽からテンプレートを自動選択する例（動作例３）〕
次に、図１５は、情報処理装置１００において、ユーザが音楽を選択入力した場合のショートムービー作成動作を示す説明図である。
【００７７】
まず、ユーザが音楽を選択すると、制御部１４０は音楽選択部１２６に入力情報から特定される音楽を選択させ、音楽解析部１１６に選択された音楽を解析させる（Ｓ３０２）。そして、制御部１４０はテンプレート選択部１２２に、ステップＳ３０２における音楽の解析結果からテンプレートを選択させる（Ｓ３０４）。ここで音楽の解析結果からテンプレートを選択する方法としては、例えば、音楽に「誕生日」というタグが付与されている場合には、「誕生日」に関連したテンプレートを選択する方法、音楽解析部１１６による解析結果からテーマ性解析部１１８においてその音楽のテーマ性を解析し、音楽のテーマ性と最も近いテーマ性を有するテンプレートを選択する方法などが挙げられる。
【００７８】
そして、制御部１４０は、解析部１１０に全ての画像および映像群に対して画像・音声解析を実行させ（Ｓ３０６）、さらにこの解析結果から画像データ群のテーマ性を解析させる（Ｓ３０７）。そして、制御部１４０は、画像選択部１２４に、ステップＳ３０４において選択されたテンプレートのテーマ性に基づいて、ショートムービーの作成に用いる画像データ群を選択させる（Ｓ３０８）。
【００７９】
そして、制御部１４０は、ショートムービー作成処理部１３４に、ステップＳ３０８において選択された画像データ群の中から、実際にショートムービーの作成に用いる画像データを選択させ、その使用順序を決定させる（Ｓ３１０）。ステップＳ３０８において選択された画像データ群は、その全てをショートムービーの作成に用いられてもよいし、画像データ群の中からさらにショートムービーに採用する画像データが選択されてもよい。さらに、制御部１４０は、ショートムービー作成部１３４にショートムービーの作成処理を実行させる（Ｓ３１２）。
【００８０】
以上、図１３〜図１５を用いて説明した動作例１〜動作例３においては、ユーザの操作をきっかけにショートムービーの作成が開始される。例えば動作例１においては、まず画像データ群がユーザによって選択され、例えば動作例２においては、まずテンプレートがユーザによって選択され、動作例３においては、まず音楽がユーザによって選択された。この場合には、ショートムービー作成の開始のトリガとなる選択操作の１ステップのみがユーザにより行われると、その他の処理は自動的になされる。しかし、本発明の一実施形態に係る情報処理装置１００は、ユーザによる選択操作が一切必要のないショートムービー作成処理をも実現することができる。以下に、ユーザ操作の不要なショートムービー作成処理の動作例について、図１６および図１７を用いて説明する。
【００８１】
〔２−４．作業の自動化（動作例４）〕
まず、図１６は、ユーザ操作の不要なショートムービー作成処理の動作例のうち、開始トリガからまず画像データ群が選択される例を説明するための説明図である。
【００８２】
まず、制御部１４０が開始トリガを検知することによって、ショートムービー作成処理が開始される（Ｓ４０２）。開始トリガは、情報処理装置１００内で検知される何らかのイベントである。例えば、開始トリガは、登録されたユーザの誕生日の到来であってもよい。或いは、開始トリガは、インターネット上の天気情報から、その日の天気（または明日の天気など）が雪であることを検知したことであってもよい。以下、明日の天気が雪であることを検知した場合について説明する。
【００８３】
開始トリガを検知すると、制御部は、画像選択部１２４に画像データ群を選択させる（Ｓ４０４）。ここで、画像選択部１２４は、解析結果記憶部１０６に記憶された解析結果からシーン識別の結果、雪景色であると判定された画像データを自動的に選択する。そして、制御部１４０は、ステップＳ４０４において取得された複数の画像データを画像データ群として、解析部１１０にテーマ性を解析させる（Ｓ４０６）。
【００８４】
そして、既存のテンプレートを使用してショートムービーの作成を行うか否かの判定が行われる（Ｓ４０８）。ここで、既存のテンプレートを使用するか否かは、環境設定における設定値を制御部１４０が参照することにより行われる。
【００８５】
ステップＳ４０８の判定において、既存のテンプレートを使用する場合には、予めテンプレート記憶部１０８に記憶されたテンプレートのテーマ性の中から、ステップＳ４０６において解析の結果得られた画像データ群のテーマ性に基づいてテンプレートが選択される（Ｓ４１０）。一方、ステップＳ４０８の判定において既存のテンプレートを使用しない場合には、制御部１４０は、ステップＳ４０６の解析の結果得られた画像データ群のテーマ性に基づいて、テンプレート生成部１３２においてテンプレートを自動生成させる（Ｓ４１２）。
【００８６】
そして、制御部１４０は音楽選択部１２６にショートムービーの作成に用いる音楽を選択させ（Ｓ４１４）、ショートムービー作成処理部１３４にテーマ性に基づいた画像の選択および使用順の決定を実行させ（Ｓ４１６）、ショートムービーの作成を実行させる（Ｓ４１８）。ステップＳ４１４〜ステップＳ４１８の処理については、ステップＳ２０８〜ステップＳ２１２と同様であるため、詳しい説明は省略する。
【００８７】
〔２−５．作業の自動化（動作例５）〕
次に、ユーザ操作の不要なショートムービー作成動作の他の例について図１７を用いて説明する。図１７は、ユーザ操作の不要なショートムービー作成処理の動作例のうち、開始トリガからまずテンプレートが選択される例を説明するための説明図である。
【００８８】
まず、制御部１４０が開始トリガを検知することによって、ショートムービー作成処理が開始される（Ｓ５０２）。開始トリガは、情報処理装置１００において検知される何らかのイベントである。ここでは、例えば開始トリガが、登録されたユーザの誕生日の到来である場合について説明する。
【００８９】
まず、制御部１４０が開始トリガを検知することによって、ショートムービー作成処理が開始される（Ｓ５０２）。開始トリガが検知されると、制御部１４０は、環境設定における設定値を参照することによって既存のテンプレートを使用するか否かを判定する（Ｓ５０４）。ステップＳ５０４の判定において既存のテンプレートを使用すると判定された場合には、制御部１４０は、テンプレート選択部１２２に使用するテンプレートを選択させる（Ｓ５０６）。このとき、テンプレート選択部１２２は、例えば、開始トリガが誕生日の到来であることから、「誕生日」に関連するキーワードを有するテンプレートを選択する。
【００９０】
一方、ステップＳ５０４の判定において既存のテンプレートを使用しないと判定された場合には、制御部１４０は、テンプレート生成部１３２にテンプレートを自動生成させる（Ｓ５０８）。このときテンプレート生成部１３２は、例えば「誕生日」というキーワードに基づいてテンプレートを生成する。
【００９１】
以上のように、用いるテンプレートが決定すると、次に制御部１４０は、解析部１１０により全ての画像データ群の画像・音声解析を実行させ（Ｓ５１０）、この解析結果からさらにテーマ性を解析させる（Ｓ５１１）。そして、制御部１４０は、解析部１１０による解析結果であるテーマ性に基づいて、画像選択部１２４に画像データ群を選択させる（Ｓ５１２）。
【００９２】
そして、制御部１４０は音楽選択部１２６にショートムービーの作成に用いる音楽を選択させ（Ｓ５１４）、ショートムービー作成処理部１３４にテーマ性に基づいた画像の選択および使用順の決定を実行させ（Ｓ５１６）、ショートムービーの作成を実行させる（Ｓ５１８）。ステップＳ５１４〜ステップＳ５１８の処理については、ステップＳ２０８〜ステップＳ２１２と同様であるため、詳しい説明は省略する。
【００９３】
＜３．効果の例＞
以上説明してきたように、本実施形態に係る情報処理装置１００は、ショートムービーの作成に用いる画像データ群とテンプレートとを同じ特徴軸上の特徴量で表されるテーマ性で評価することによって、テーマ性に基づいて自動的に画像データ群とテンプレートとの組合せを選択することができる。このとき、特徴軸は、ユーザが感覚的にわかりやすい指標を用いることによって、図１２に示すような感覚的なテンプレート選択画面を提供することが可能になった。
【００９４】
このとき、画像を「群」としての特徴で捉えることにより、画像１つ１つの細かな特徴に囚われず、より全体を正しく把握することが可能となる。例えば、従来は、画像１枚１枚に、誰が写っているか、どこで撮影された写真か、といった情報を把握する技術はあっても、１つのイベントとしてまとめられた「画像データ群」としては把握されていなかった。例えば、ユーザがショートムービーを作成する場合には、「修学旅行」、「誕生日」、「結婚式」、「２０１０年」など、あるイベント毎のデータを用いて作成したい場合がほとんどである。この場合には、ひとつのイベントとしてまとめられた画像データ群としての特徴を捉える必要があり、本発明は好適である。情報処理装置１００は、このイベント毎の雰囲気を捉え、画像データ群とテンプレートとの適切な組み合わせを選択することができる。
【００９５】
なお、上記実施形態において説明した情報処理装置１００の各部の機能は、実際には、図示しないＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより達成される。例えば、上記実施形態に係る情報処理装置１００においては、解析部１１０、選択部１２０、テンプレート生成部１３２、ショートムービー作成処理部１３４、および制御部１４０の各機能は、実際には、ＣＰＵがこれらの機能を実現する処理手順を記述したプログラムを実行することにより達成される。
【００９６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９７】
例えば、上記実施形態では、１つの情報処理装置内において画像の解析からテーマ性解析、ショートムービーの作成まで行うこととしたが、本発明はかかる例に限定されない。例えば、サーバ上において解析を行い、ユーザ端末がその解析結果を取得してショートムービーの作成を行うこととしてもよい。或いは、画像解析、音声解析などの結果を取得したサーバ上でテーマ性解析およびテーマ性に基づいたテンプレートと画像データ群との組合せの選択が実行され、その処理結果を出力してもよい。
【００９８】
なお、情報処理装置１００は、たとえばＰＣ（Ｐｅｒｓｏｎａｌ  Ｃｏｍｐｕｔｅｒ）、家庭用映像処理装置（ＤＶＤレコーダ、ビデオデッキなど）、家庭用ゲーム機器、家電機器（デジタルカメラ、ビデオカメラ、テレビ、フォトフレーム）、およびカーナビゲーション装置などの情報処理装置であってもよい。或いは、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯用音楽再生装置、携帯用映像処理装置、携帯用ゲーム機器などの携帯型情報処理装置であってもよい。
【００９９】
また、上記実施形態では、画像情報は、図１０に示したような対応表に基づいて評価されることによりテーマ性に反映されたが、本発明はかかる例に限定されない。例えば、機械学習により、画像情報からテーマ性が評価されてもよい。
【０１００】
なお、上記実施形態において、画像データの解析を実行するステップは、必ずしもショートムービーの作成時に行われるものとは限らない。予め写真・映像素材記憶部１０２などの記憶部に記憶される素材の解析結果が解析結果記憶部１０６に記憶されている場合には、解析処理は省略することもできる。
【０１０１】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１０２】
１００    情報処理装置
１１０    解析部
１２０    選択部
１４０    制御部
１５０    表示部
【図１】
2011170690.tif 000003
【図２】
2011170690.tif 000004
【図３】
2011170690.tif 000005
【図４】
2011170690.tif 000006
【図５】
2011170690.tif 000007
【図６】
2011170690.tif 000008
【図７】
2011170690.tif 000009
【図８】
2011170690.tif 000010
【図９】
2011170690.tif 000011
【図１０】
2011170690.tif 000012
【図１１】
2011170690.tif 000013
【図１２】
2011170690.tif 000014
【図１３】
2011170690.tif 000015
【図１４】
2011170690.tif 000016
【図１５】
2011170690.tif 000017
【図１６】
2011170690.tif 000018
【図１７】
2011170690.tif 000019